(57)【要約】【課題】回転ドラムの開口部と磁気ヘッドの間隙により磁気テープの浮上量は磁気ヘッドの通過前は小さく通過後は大きく磁気ヘッドの回転方向前後における磁気テープ浮上量の不均衡が生じ磁気ヘッドと磁気テープの良好な接触状態が得られないことが課題であった。【解決手段】磁気ヘッドを、回転ドラムの開口部の回転方向前方側に取り付けることにより回転方向前方のテープ浮上量を大きく回転方向後方のテープ浮上量を小さくする。このため磁気ヘッド通過前後の磁気テープの浮上量の均衡を取り磁気ヘッドと磁気テープの良好な接触状態が得られる。【選択図】図１
2006236485.tif 000002
【特許請求の範囲】
【請求項１】
磁気テープを案内する固定ドラムと、前記固定ドラムに対し同軸的に設けられ前記磁気テープが巻き回される回転ドラムと、前記回転ドラムに設けられた開口部と、前記開口部に設けられ前記磁気テープと摺動する磁気ヘッドからなる回転ドラム装置であって、前記磁気ヘッドは、前記開口部の前記回転ドラムの回転方向前方側に取り付けられていることを特徴とする回転ドラム装置。
【請求項２】
開口部の幅ａと磁気ヘッドの幅Ｗと回転方向前方部の磁気ヘッド端面から回転方向前方部の開口部端面の距離Ｘと回転方向後方部の磁気ヘッド端面から回転方向後方部の開口部端面の距離Ｙが、
ａ≦１．５Ｗ
かつ
Ｘ≦０．５Ｙ
を満たすことを特徴とする請求項１記載の回転ドラム装置。
【発明の詳細な説明】
【技術分野】
【０００１】
本発明は、ＶＴＲ等の磁気テープを走行案内する回転ドラム装置に関するものである。
【背景技術】
【０００２】
近年の小型ビデオカメラなどに使用される回転ドラム装置は、磁気テープを走行案内する固定ドラムと、前記固定ドラムに対し同軸的に設けられ前記磁気テープが巻き回される回転ドラムと、前記回転ドラムに設けられた開口部と、前記開口部に設けられ前記磁気テープと摺動する磁気ヘッドが設けられている。（例えば特許文献１参照）
以下に従来の回転ドラム装置について説明する。
【０００３】
図７は、従来の回転ドラム装置９の側面図を示す。１は磁気テープ２を走行案内する固定ドラム、略円筒形状を成しており、その外周側面には磁気テープ２が巻き回される。本実施の形態では固定ドラム１はアルミダイキャストで構成されているが、材質についてはこれに限定されるものではない。また、磁気テープ２を回転ドラム装置８に巻き回した際に、磁気テープ２の下端を当接させることにより、磁気テープ２の下方向の位置規制を行う段差部（リード部）を、外周面に形成している。
【０００４】
２は映像信号や音声信号などの各種情報を記録または再生可能なテープ状記録媒体である磁気テープで、本実施の形態ではデジタルビデオカメラに一般に利用される、テープ幅６．３５ｍｍのメタル蒸着テープを用いたが、磁気テープの仕様についてはこれに限定されるものではない。また、記録されるフォーマットも、特に限定されるものではない。
【０００５】
３は固定ドラム１に同軸的に設けられ、かつ磁気テープ２が巻き回される回転ドラムで、略円筒形状を成しており、その外周側面には磁気テープ２が巻き回される。本実施の形態では、材質はアルミダイキャストで構成されているが、材質についてはこれに限定されるものではない。
【０００６】
５は回転ドラム３の外周側面における下端近傍に設けられた開口部で、後述する磁気ヘッド４を内在させるためのものであり、少なくとも磁気ヘッド４の配置数と同数設けられる。開口部５の大きさは、図９に示すように少なくとも磁気ヘッド４を内在可能な大きさが必要であるとともに、磁気ヘッド４と回転ドラム３との間に所定の空間を有するような大きさが必要である。なお、５ａは磁気ヘッド４の通過前、５ｂは磁気ヘッド４の通過後に相当する位置に配された開口部である。
【０００７】
４は開口部５に設けられ磁気テープ２と摺動する磁気ヘッドで、磁気テープ２に対して映像信号や音声信号などの各種情報を記録したり、磁気テープ２に記録された各種情報を再生したりすることができる。磁気ヘッド４は、開口部５において、図８及び図９に示すように開口部５の略中央に配されている。
【０００８】
６は回転ドラム３の外周側面に設けられた１つ又は複数の溝で、回転ドラム３の回転方向と略平行に設けられている。
【０００９】
７は回転ドラムの回転方向を示す矢印である。回転ドラム３が矢印７方向へ回転することによって、磁気テープ２と磁気ヘッド４が摺動する間に、映像及び音声等の情報が記録される。また、記録済みの磁気テープ２であれば、上述と同じ動作で映像及び音声等の記録情報を再生することができる。
【００１０】
９は、固定ドラム１、回転ドラム３、磁気ヘッド４、開口部５、溝６からなる回転ドラム装置である。
【００１１】
図８は、回転ドラム装置９の開口部５近傍を上面から見た時の磁気ヘッド４での磁気テープ２の浮上状態を示すものであり、本図では説明の便宜上、磁気ヘッド４近傍のみ示した要部平面図とした。図９は、回転ドラム装置９の開口部５を正面から見た時の側面図を示す。
【００１２】
以上のように構成された従来の回転ドラム装置９について以下にその動作について説明する。
【００１３】
まず、テープカセット内に配された磁気テープを、別途設けられたローディングポストなどのテープローディング手段（図示せず）を用いて、テープカセット内から引き出し、回転ドラム装置９の外周側面に巻き回す。巻き回しが完了した状態が図７である。図示のように、磁気テープ２は回転ドラム装置９の外周側面に対して斜めに巻き回され、その時の磁気テープ２の下端は固定ドラム１の外周側面に設けられた段差部によって、位置規制されている。
【００１４】
次に、別途設けられたモータなどの駆動手段（図示せず）によって回転ドラム３が矢印７方向へ回転される。かつ、磁気テープ２がキャプスタンやリール台駆動手段などのテープ走行手段（図示せず）によって正方向へ走行駆動されることにより、磁気テープ２と磁気ヘッド４が摺動する。その間に、磁気ヘッド４に内部の信号処理回路等から供給される映像及び音声等の情報が、磁気テープ２の記録面に斜めトラックとして記録される。
【００１５】
また、記録済みの磁気テープ２であれば、上述と同じ動作で映像及び音声等の記録情報を再生することができる。
【００１６】
磁気テープ２に対する情報の記録再生の際、磁気ヘッド４は矢印７に示す方向に磁気テープ２の記録面上を摺動する。
【特許文献１】特開２００２−３０４７９２号公報（図７、図８、図９）
【発明の開示】
【発明が解決しようとする課題】
【００１７】
従来の回転ドラム装置では、回転ドラム３の周面に磁気テープ２が巻き回される。この、回転ドラム３が回転することにより回転ドラム３と磁気テープ２の間に空気層が発生し、その空気層の厚さは磁気テープ２の入側ほど大きい。そこで、磁気テープ２の入側の浮上を抑制するために回転ドラム３の周面方向に沿って溝６を設けている。
【００１８】
しかしながら、溝６により磁気テープ２の入側での浮上を抑制する効果はあるものの、磁気テープ２の磁気ヘッド４に対するヘッドタッチを改善するものではない。
【００１９】
すなわち、開口部５に設けられた磁気ヘッド４近傍における磁気テープ２の浮上量は、図８に示すように、磁気ヘッド４の通過前（図中５ａにて示す部分）は小さく、通過後（図中５bにて示す部分）は大きい。そのため、磁気ヘッド４と磁気テープ２の接触状態が不安定となり、良好なヘッドタッチが得られないことがある。
【００２０】
また、磁気テープ２の浮上量は、磁気ヘッド４の通過前に小さいため、磁気テープ２に磁気ヘッド４が突入する際、磁気テープ２が磁気ヘッド４に叩きつけられることによる叩き音の発生や、磁気テープ２にダメージを与えることがある。
【００２１】
本発明は、上記従来の課題を解決するもので、磁気テープ２と磁気ヘッド４の接触状態を安定させ、良好なヘッドタッチを得ることのできる回転ドラム装置を提供することを目的とする。
【課題を解決するための手段】
【００２２】
この発明は、前記目的を達成するために、磁気テープを案内する固定ドラムと、前記固定ドラムに対し同軸的に設けられ前記磁気テープが巻き回される回転ドラムと、前記回転ドラムに設けられた開口部と、前記開口部に設けられ前記磁気テープと摺動する磁気ヘッドからなる回転ドラム装置において、前記磁気ヘッドは、前記開口部の前記回転ドラムの回転方向前方側に取り付けることにより、磁気テープと磁気ヘッドの接触状態を安定させ、良好なヘッドタッチを得ることのできる回転ドラム装置を提供することができる。
【発明の効果】
【００２３】
以上のように本発明は、磁気ヘッドを開口部の回転ドラムの回転方向前方側に取り付けることにより、磁気テープと磁気ヘッドの接触状態を安定させ、良好なヘッドタッチを得るという効果が得られる。したがって、小型ビデオカメラに採用した場合には高画質、高音質等の高性能化に寄与できるという効果がある。
【発明を実施するための最良の形態】
【００２４】
磁気テープと磁気ヘッドの接触状態を安定させ、良好なヘッドタッチを得ることのできる回転ドラム装置を提供するという目的を、開口部の回転ドラムの回転方向前方側に磁気ヘッドを取り付けることにより実現した。
【００２５】
（実施の形態１）
図１は、本発明の形態１における回転ドラム装置８の側面図を示す。また、図２は、回転ドラム装置８の開口部５を上面から見た時のヘッド４近傍での磁気テープ２の浮上状態を示す。図３は、回転ドラム８の開口部５の側面図を示す。
【００２６】
まず、図１を説明すると、１は磁気テープ２を走行案内する固定ドラム、略円筒形状を成しており、その外周側面には磁気テープ２が巻き回される。本実施の形態では固定ドラム１はアルミダイキャストで構成されているが、材質についてはこれに限定されるものではない。また、磁気テープ２を回転ドラム装置８に巻き回した際に、磁気テープ２の下端を当接させることにより、磁気テープ２の下方向の位置規制を行う段差部（リード部）を、外周面に形成している。
【００２７】
２は映像信号や音声信号などの各種情報を記録または再生可能なテープ状記録媒体である磁気テープで、本実施の形態ではデジタルビデオカメラに一般に利用される、テープ幅６．３５ｍｍのメタル蒸着テープを用いたが、磁気テープの仕様についてはこれに限定されるものではない。また、記録されるフォーマットも、特に限定されるものではない。
【００２８】
３は固定ドラム１に同軸的に設けられ、かつ磁気テープ２が巻き回される回転ドラムで、略円筒形状を成しており、その外周側面には磁気テープ２が巻き回される。本実施の形態では、材質はアルミダイキャストで構成されているが、材質についてはこれに限定されるものではない。
【００２９】
５は回転ドラム３の外周側面における下端近傍に設けられた開口部で、後述する磁気ヘッド４を内在させるためのものであり、少なくとも磁気ヘッド４の配置数と同数設けられる。開口部５の大きさは、図３に示すように少なくとも磁気ヘッド４を内在可能な大きさが必要であるとともに、磁気ヘッド４と回転ドラム３との間に所定の空間を有するような大きさが必要である。なお、５ａは磁気ヘッド４の通過前、５ｂは磁気ヘッド４の通過後に相当する位置に配された開口部である。
【００３０】
４は開口部５に設けられ磁気テープ２と摺動する磁気ヘッドで、磁気テープ２に対して映像信号や音声信号などの各種情報を記録したり、磁気テープ２に記録された各種情報を再生したりすることができる。磁気ヘッド４は開口部５において、図２及び図３に示すように回転ドラム３の回転方向に偏位した位置に設けられ、磁気ヘッド４の左右の空間（５ａ及び５bに示す部位）の寸法が異なるように配されている。
【００３１】
６は回転ドラム３の外周側面に設けられた１つ又は複数の溝で、回転ドラム３の回転方向と略平行に設けられている。
【００３２】
７は回転ドラムの回転方向を示す矢印である。回転ドラム３が矢印７方向へ回転することによって、磁気テープ２と磁気ヘッド４が摺動する間に、映像及び音声等の情報が記録される。また、記録済みの磁気テープ２であれば、上述と同じ動作で映像及び音声等の記録情報を再生することができる。
【００３３】
８は、固定ドラム１、回転ドラム３、磁気ヘッド４、開口部５、溝６からなる回転ドラム装置である。なお、本実施の形態では、１つの固定ドラム１と１つの回転ドラム３とを同軸に配した構成としているが、２つの固定ドラムの間に１つの回転ドラムを配した回転ドラム装置（上から、固定ドラム−回転ドラム−固定ドラムの順に同軸配置）であっても構わない。
【００３４】
以上のように構成された本実施の形態の回転ドラム装置について、以下その動作について説明する。
【００３５】
まず、テープカセット内に配された磁気テープを、別途設けられたローディングポストなどのテープローディング手段（図示せず）を用いて、テープカセット内から引き出し、回転ドラム装置８の外周側面に巻き回す。巻き回しが完了した状態が図１である。図示のように、磁気テープ２は回転ドラム装置８の外周側面に対して斜めに巻き回され、その時の磁気テープ２の下端は固定ドラム１の外周側面に設けられた段差部によって、位置規制されている。
【００３６】
次に、別途設けられたモータなどの駆動手段（図示せず）によって回転ドラム３が矢印７方向へ回転される。かつ、磁気テープ２がキャプスタンやリール台駆動手段などのテープ走行手段（図示せず）によって正方向へ走行駆動されることにより、磁気テープ２と磁気ヘッド４が摺動する。その間に、磁気ヘッド４に内部の信号処理回路等から供給される映像及び音声等の情報が、磁気テープ２の記録面に斜めトラックとして記録される。
【００３７】
また、記録済みの磁気テープ２であれば、上述と同じ動作で映像及び音声等の記録情報を再生することができる。
【００３８】
磁気テープ２に対する情報の記録再生の際、磁気ヘッド４は矢印７に示す方向に磁気テープ２の記録面上を摺動する。
【００３９】
ここで、図２に示すように、磁気ヘッド４を、開口部５における回転ドラム３の回転方向前方側（図中５ａ側）に偏位させて取り付けることにより、開口部５ａにおいて発生する負圧による磁気テープ２の吸い込み量を低下させ、かつ開口部５ｂ側の浮上量も抑えることができる。よって結果的に、磁気ヘッド４に対する磁気テープ２の接触状態を、磁気ヘッド４のテープ入側と出側とでほぼ同じにすることができ、いわゆる「片当たり状態」を低減させることができる。
【００４０】
これにより、従来、磁気テープ２の浮上は、磁気ヘッド４の通過前は小さく、通過後は大きく、そのため、磁気ヘッド４と磁気テープ２の接触状態が不安定となり良好なヘッドタッチが得られないことがあるという影響や、磁気テープ２の浮上量は磁気ヘッド４の通過前に小さいため磁気テープ２に磁気ヘッド４が突入する際たたき音の発生や磁気テープ２にダメージを与えることがあるという影響を排除し、磁気テープ２と磁気ヘッド４の接触状態を安定させ良好なヘッドタッチを得るという効果が得られる。
【００４１】
以上のように本実施形態によれば、磁気ヘッドと磁気テープの接触状態を安定させ良好なヘッドタッチが得られる回転ドラム装置を得ることができる。
【００４２】
（実施の形態２）
以下、本発明の回転ドラム装置における磁気ヘッドと開口部との関係や、本装置による出力特性について、さらに詳細に説明する。なお、本実施の形態では、回転ドラム装置をビデオカメラに搭載し、その出力特性を測定した。
【００４３】
図４は、本発明の実施形態２における回転ドラム装置８の開口部５の側面図を示す。図において、Ｗは磁気ヘッド４の幅寸法、Ｘは磁気ヘッド４通過前（磁気ヘッド４の入側）の開口部５ａの幅寸法、Ｙは磁気ヘッド４通過後（磁気ヘッド４の出側）の開口部５bの幅寸法、ａは開口部５全体の幅寸法で、ａ＝Ｘ＋Ｙ＋Ｗである。
【００４４】
図４のように配置された磁気ヘッドを搭載した回転ドラム装置をビデオカメラに搭載し、その出力特性を確認した。まず、磁気ヘッド４の幅寸法Ｗは固定値として、開口部５の幅寸法ａの値を１．２Ｗ〜２Ｗの範囲でいくつか設定し、ビデオカメラから出力される信号（例えば磁気テープからの再生映像信号）の安定性を確認した。
【００４５】
その結果、図５に示すように開口部５の幅ａと磁気ヘッド４の幅と出力の安定性の関係は、
ａ≦１．５Ｗ
が良好であることがわかった。
【００４６】
ここで言う「出力の安定性」とは、必要帯域での出力の最大値と最小値の差のことであり、出力が大きく、差が小さいほど安定している状態である。
【００４７】
図６に示すように、回転方向前方部の磁気ヘッド４の端面から回転方向前方部の開口部５の端面の距離Ｘ、回転方向後方部の磁気ヘッド４の端面から回転方向後方部の開口部５の端面の距離Ｙの比Ｘ／Ｙと、出力の安定性との関係について、Ｘ＝０．２Ｙ〜１．０Ｙの範囲で確認した。結果的に、
Ｘ≦０．５Ｙ
が良好であることがわかった。
【００４８】
このように、開口部５の幅ａと磁気ヘッド４の幅Ｗと回転方向前方部の磁気ヘッド４の端面から回転方向前方部の開口部５の端面の距離Ｘと回転方向後方部の磁気ヘッド４の端面から回転方向後方部の開口部５の端面の距離Ｙが、ａ≦１．５ＷかつＸ≦０．５Ｙを満たすように設定することにより、磁気ヘッド４と磁気テープ２の接触状態を安定させ、良好なヘッドタッチが得られるという効果が得られる。
【００４９】
以上のように本実施形態によれば、磁気ヘッドと磁気テープの接触状態を安定させ良好なヘッドタッチが得られる回転ドラム装置を得ることができる。
【産業上の利用可能性】
【００５０】
本発明にかかる回転ドラム装置は、小型ビデオカメラなどに有用であり、磁気ヘッドと磁気テープの接触状態を安定させ良好なヘッドタッチが得られる。したがって画質、音声の高性能化に回転ドラム装置を得ることができる。
【図面の簡単な説明】
【００５１】
【図１】本発明の実施の形態１に於ける回転ドラム装置の側面図
【図２】本発明の実施の形態１に於ける回転ドラム装置の開口部の上面図
【図３】本発明の実施の形態１に於ける回転ドラム装置の開口部の側面図
【図４】本発明の実施の形態２に於ける回転ドラム装置の開口部の側面図
【図５】本発明の実施の形態２に於ける回転ドラム装置の開口部の幅と磁気ヘッドの幅と出力の安定性の特性図
【図６】本発明の実施の形態２に於ける回転ドラム装置の回転方向前方部の開口部の幅と回転方向後方部の開口部の幅と出力の安定性の特性図
【図７】従来の回転ドラム装置の側面図
【図８】従来の回転ドラム装置の開口部の上面図
【図９】従来の回転ドラム装置の開口部の側面図
【符号の説明】
【００５２】
１    固定ドラム
２    磁気テープ
３    回転ドラム
４    磁気ヘッド
５    開口部
６    溝
７    回転方向
８    回転ドラム装置
【図１】
2006236485.tif 000003
【図２】
2006236485.tif 000004
【図３】
2006236485.tif 000005
【図４】
2006236485.tif 000006
【図５】
2006236485.tif 000007
【図６】
2006236485.tif 000008
【図７】
2006236485.tif 000009
【図８】
2006236485.tif 000010
【図９】
2006236485.tif 000011